(57)【要約】【課題】冊子印刷において、出力されるシート単位で印刷モードを設定可能にする。【解決手段】１シートが複数頁から構成される冊子を作成する際、冊子を構成するシート単位で印刷モードを、ＰＣ１の設定部１０により設定する。頁単位で印刷モードを設定するとき、１シートにレイアウトされる複数頁のうち何れか１頁で印刷モードが設定された場合、当該シート全体に当該設定された印刷モードが適用される。また、１シートにレイアウトされる複数頁のうち、２つ以上の異なる頁で異なる印刷モードが設定された場合、表示部１２に警告画面を表示する。更に、頁単位で印刷モードを設定する場合、当該設定された頁がレイアウトされるシート番号を表示部１２に表示する。また、シート単位で印刷モードを設定する場合、印刷モードが設定されたシートにレイアウトされる複数頁分の頁番号を表示部１２に表示する。【選択図】図２
2007011461.tif 000002
【特許請求の範囲】
【請求項１】
１シートが複数頁から構成される冊子の印刷を行うためのユーザインターフェースであって、冊子を構成するシート単位で印刷モードを設定することを特徴とするユーザインターフェース。
【請求項２】
前記印刷モードが設定されたシートにレイアウトされる複数頁分の頁番号を表示部に表示することを特徴とする請求項１に記載のユーザインターフェース。
【請求項３】
頁単位で印刷モードが設定可能であることを特徴とする請求項１又は２に記載のユーザインターフェース。
【請求項４】
頁単位で印刷モードを設定する場合、１シートにレイアウトされる複数頁のうち何れか１頁で印刷モードが設定されると、当該シート全体に当該設定された印刷モードが適用されることを特徴とする請求項３に記載のユーザインターフェース。
【請求項５】
頁単位で印刷モードを設定する場合、１シートにレイアウトされる複数頁のうち、２つ以上の異なる頁で異なる印刷モードが設定されると、表示部に警告画面を表示することを特徴とする請求項３又は４に記載のユーザインターフェース。
【請求項６】
頁単位で印刷モードを設定する場合、印刷モードが設定された頁がレイアウトされるシート番号を表示部に表示することを特徴とする請求項３〜５の何れか一項に記載のユーザインターフェース。
【請求項７】
１つの印刷ジョブで２シート以上の印刷を行う場合に前記印刷モードを設定することを特徴とする請求項１〜６の何れか一項に記載のユーザインターフェース。
【請求項８】
コンピュータに、
１シートが複数頁から構成される冊子の印刷を行う際、冊子を構成するシート単位で印刷モードを設定する機能を実現させるためのプログラム。
【請求項９】
前記印刷モードが設定されたシートにレイアウトされる複数頁分の頁番号を表示部に表示する機能を実現させることを特徴とする請求項８に記載のプログラム。
【請求項１０】
頁単位で印刷モードを設定する機能を実現させることを特徴とする請求項８又は９に記載のプログラム。
【請求項１１】
頁単位で印刷モードを設定する場合、１シートにレイアウトされる複数頁のうち何れか１頁で印刷モードが設定されると、当該シート全体に当該設定された印刷モードが適用されることを特徴とする請求項１０に記載のプログラム。
【請求項１２】
頁単位で印刷モードを設定する場合、１シートにレイアウトされる複数頁のうち、２つ以上の異なる頁で異なる印刷モードが設定されると、表示部に警告画面を表示する機能を実現させることを特徴とする請求項１０又は１１に記載のプログラム。
【請求項１３】
頁単位で印刷モードを設定する場合、印刷モードが設定された頁がレイアウトされるシート番号を表示部に表示する機能を実現させることを特徴とする請求項１０〜１２の何れか一項に記載のプログラム。
【請求項１４】
１つの印刷ジョブで２シート以上の印刷を行う場合に前記印刷モードを設定することを特徴とする請求項８〜１３の何れか一項に記載のプログラム。
【発明の詳細な説明】
【技術分野】
【０００１】
本発明は、印刷設定のためのユーザインターフェース及びプログラムに関する。
【背景技術】
【０００２】
従来より、プリンタ、ＭＦＰ（Multi Function Peripheral）等で、複数のシートに印刷して冊子を作成する冊子印刷が行われている。例えば、特許文献１には、冊子印刷時に、表紙の印刷モードを、他のシートの印刷モードと異なるように設定可能な技術が開示されている。
【特許文献１】特開２００２−２４４４９３号公報
【発明の開示】
【発明が解決しようとする課題】
【０００３】
しかしながら、特許文献１に開示された技術では、表紙以外のシートについては同一の印刷モードでしか印刷できないため、表紙以外の特定のシートで他とは異なるシート（例えば、用紙種類、斤量、色が異なるシート）を用いたい場合などには、一旦、冊子全体を印刷してから、別途印刷された特定のシートと差し替えなければならず、冊子作成処理の手間がかかり、処理効率が悪いという問題があった。
【０００４】
本発明の課題は、冊子印刷において、シート単位で印刷モードを設定可能にすることである。
【課題を解決するための手段】
【０００５】
上記課題を解決するため、請求項１に記載の発明は、１シートが複数頁から構成される冊子の印刷を行うためのユーザインターフェースであって、冊子を構成するシート単位で印刷モードを設定することを特徴としている。
印刷モードは、典型的にはシートを特定するための印刷モードであり、例えば、用紙サイズ、給紙トレイ、用紙種類（普通紙、厚紙等）、斤量、紙色等が挙げられる。
【０００６】
請求項２に記載の発明は、請求項１に記載のユーザインターフェースにおいて、前記印刷モードが設定されたシートにレイアウトされる複数頁分の頁番号を表示部に表示することを特徴としている。
【０００７】
請求項３に記載の発明は、請求項１又は２に記載のユーザインターフェースにおいて、頁単位で印刷モードが設定可能であることを特徴としている。
【０００８】
請求項４に記載の発明は、請求項３に記載のユーザインターフェースにおいて、頁単位で印刷モードを設定する場合、１シートにレイアウトされる複数頁のうち何れか１頁で印刷モードが設定されると、当該シート全体に当該設定された印刷モードが適用されることを特徴としている。
【０００９】
請求項５に記載の発明は、請求項３又は４に記載のユーザインターフェースにおいて、頁単位で印刷モードを設定する場合、１シートにレイアウトされる複数頁のうち、２つ以上の異なる頁で異なる印刷モードが設定されると、表示部に警告画面を表示することを特徴としている。
【００１０】
請求項６に記載の発明は、請求項３〜５の何れか一項に記載のユーザインターフェースにおいて、頁単位で印刷モードを設定する場合、印刷モードが設定された頁がレイアウトされるシート番号を表示部に表示することを特徴としている。
【００１１】
請求項７に記載の発明は、請求項１〜６の何れか一項に記載のユーザインターフェースにおいて、１つの印刷ジョブで２シート以上の印刷を行う場合に前記印刷モードを設定することを特徴としている。
【００１２】
請求項８に記載の発明は、コンピュータに、１シートが複数頁から構成される冊子の印刷を行う際、冊子を構成するシート単位で印刷モードを設定する機能を実現させるためのプログラムである。
【００１３】
請求項９に記載の発明は、請求項８に記載のプログラムにおいて、前記印刷モードが設定されたシートにレイアウトされる複数頁分の頁番号を表示部に表示する機能を実現させることを特徴としている。
【００１４】
請求項１０に記載の発明は、請求項８又は９に記載のプログラムにおいて、頁単位で印刷モードを設定する機能を実現させることを特徴としている。
【００１５】
請求項１１に記載の発明は、請求項１０に記載のプログラムにおいて、頁単位で印刷モードを設定する場合、１シートにレイアウトされる複数頁のうち何れか１頁で印刷モードが設定されると、当該シート全体に当該設定された印刷モードが適用されることを特徴としている。
【００１６】
請求項１２に記載の発明は、請求項１０又は１１に記載のプログラムにおいて、頁単位で印刷モードを設定する場合、１シートにレイアウトされる複数頁のうち、２つ以上の異なる頁で異なる印刷モードが設定されると、表示部に警告画面を表示する機能を実現させることを特徴としている。
【００１７】
請求項１３に記載の発明は、請求項１０〜１２の何れか一項に記載のプログラムにおいて、頁単位で印刷モードを設定する場合、印刷モードが設定された頁がレイアウトされるシート番号を表示部に表示する機能を実現させることを特徴としている。
【００１８】
請求項１４に記載の発明は、請求項８〜１３の何れか一項に記載のプログラムにおいて、１つの印刷ジョブで２シート以上の印刷を行う場合に前記印刷モードを設定することを特徴としている。
【発明の効果】
【００１９】
本発明によれば、一度の印刷で容易に冊子を完成させることが可能になる。
【発明を実施するための最良の形態】
【００２０】
以下、図面を参照して、本発明の実施形態について説明する。
まず、本実施形態における構成について説明する。
【００２１】
図１に、本発明の実施形態に係る印刷システム１００の全体構成を示す。印刷システム１０は、図１に示すように、ＰＣ（Personal Computer）１とプリンタ２により構成され、これらは通信ネットワークＮを介して相互に通信可能に接続される。
【００２２】
通信ネットワークＮは、イーサネット（登録商標）、トークンリング、ＦＤＤＩ（Fiber Distributed Data Interface）等の規格によりコンピュータやネットワーク機器同士を接続したＬＡＮ（Local Area Network）や、ＬＡＮ同士を専用線で接続したＷＡＮ（Wide Area Network）等から構成される。
【００２３】
なお、プリンタ２の代わりに、複写機、スキャナ、プリンタ等の複数の機器の機能を１台にまとめた複合機（ＭＦＰ：Multi Function Peripheral）などの画像形成装置を用いてもよい。また、印刷システム１００を構成するＰＣ１、プリンタ２の台数は特に限定されない。更に、本実施形態では、小冊子印刷を例に説明するが、これに限定されるものではない。以下、本実施形態では、プリンタ２の印刷により出力される用紙を「シート」と呼ぶことにする。
【００２４】
図２に、ＰＣ１及びプリンタ２の主要部構成を示す。ＰＣ１は、プリンタを制御するためのソフトウェアであるプリンタドライバを搭載し、印刷モードを設定するための設定部１０として、入力部１１と表示部１２を備える。ＰＣ１は、設定部１０により設定された印刷モードをプリンタ２に送信する。本実施形態において、印刷モードは、用紙サイズ、給紙トレイ、用紙種類（普通紙、厚紙等）、斤量、紙色等を示すが、印刷モードはこれらの項目に限定されない。
【００２５】
入力部１１は、各種指示を入力するためのキーボードやマウス等から構成される。表示部１２は、ＬＣＤ（Liquid Crystal Display）等の表示ディスプレイにより構成される。
【００２６】
１シートが複数頁から構成される冊子の印刷を行う場合、入力部１１の操作により、冊子を構成するシート単位又は頁単位で印刷モードが設定される。シート単位で印刷モードが設定された場合、表示部１２には、印刷モードが設定されたシートにレイアウトされる複数頁分の頁番号が表示される。
【００２７】
また、１シートにレイアウトされる複数頁のうち、何れか１頁で印刷モードが設定された場合、当該シート全体に当該設定された印刷モードが適用される。更に、１シートにレイアウトされる複数頁のうち、２つ以上の異なる頁で異なる印刷モードが設定された場合、表示部１２に警告画面が表示される（図１２参照）。また、頁単位で印刷モードが設定された場合、当該設定された頁がレイアウトされるシート番号が表示部１２に表示される。このような印刷モードの設定は、１つの印刷ジョブで２シート以上の印刷を行う場合に適用される。
【００２８】
プリンタ２は、複数の給紙トレイ（図示略）を有し、給紙トレイ別に、サイズ、種類（普通紙、厚紙等）、斤量、紙色の異なる用紙が収納可能である。また、プリンタ２は、図２に示すように、印刷制御部２０、画像形成部３０により構成される。
【００２９】
印刷制御部２０は、印刷条件解析部２１、頁レイアウト部２２、印刷データ作成部２３、データ出力部２４により構成される。
【００３０】
印刷条件解析部２１は、ＰＣ１から受信されたデータから印刷条件を解析する。頁レイアウト部２２は、出力結果が小冊子となるように頁のレイアウトを決定する。印刷データ作成部２３は、各々のシートに印刷されるべきデータ（印刷データ）を生成する。データ出力部２４は、各々のシート毎に、印刷データと印刷モードをセットにして画像形成部３０に出力する。
【００３１】
画像形成部３０は、印刷モード及び印刷データに基づいて、指定され用紙に所定の印刷方式（例えば、レーザビーム方式）により印刷処理を行う。
【００３２】
なお、本実施形態では、印刷制御部２０がプリンタ２に搭載された場合を示したが、印刷制御部２０の機能を、プリンタ２とは別体のプリンタコントローラに含めたり、プリンタドライバ内に含めるようにしてもよい。
【００３３】
次に、本実施形態における動作について説明する。
まず、図３のフローチャートを参照して、印刷システム１００において実行される印刷設定処理について説明する。
【００３４】
まず、ＰＣ１の設定部１０により、印刷条件が設定される（ステップＳ１）。ステップＳ１では、まず、表示部１２に、図４に示すような全体設定画面が表示される。全体設定画面は、原稿全体（全シート）の印刷モードを設定するための画面であり、図４に示すように、用紙サイズ指定部３１、給紙トレイ指定部３２、用紙種類指定部３３、斤量指定部３４、紙色指定部３５が配置されている。入力部１１により、全体設定画面の各指定部に必要事項を入力することにより、印刷モードが指定される。
【００３５】
入力部１１により、図４の全体設定画面の「シート単位設定」項目が指定されると、表示部１２には、図５に示すようなシート単位設定リスト画面が表示される。シート単位設定リスト画面は、シート単位で設定された印刷モードを一覧表示するための画面であり、図５に示すように、シート単位設定チェックボックス４１、リスト名表示部４２、リスト表示部４３、シート追加ボタン４４、更新ボタン４５、編集ボタン４６、削除ボタン４７が配置されている。リスト名表示部４２では、図６に示すように、複数のリストが表示可能であり、表示された各々のリストに対して、異なるシート単位設定を保存することができる。
【００３６】
図５のシート単位設定リスト画面は、１シートの両面にそれぞれ２頁分の原稿が印刷される、２シートからなる小冊子を作成する場合の設定内容の一例を示している。図５のシート単位設定リスト画面のシート単位設定チェックボックス４１にチェックを入れることにより、シート追加ボタン４４を押すことができる状態となる。シート追加ボタン４４が押されると、図７に示すようなシート単位設定画面が表示される。
【００３７】
シート単位設定画面は、シート単位で印刷モードを設定するための画面であり、図７に示すように、シート番号指定部５１、頁番号指定部５２、給紙トレイ指定部５３、用紙種類指定部５４、斤量指定部５５、紙色指定部５６、設定内容を保存するためのＯＫボタン５７、設定内容を破棄するためのキャンセルボタン５８が配置される。図７のシート単位設定画面において、シート番号指定部５１にシート番号を入力するか、頁番号指定部５２に頁番号を入力するか、又はシート番号及び頁番号の双方を入力し、更に、他の指定部に必要事項を入力し、ＯＫボタン５７を押すことにより、印刷モードが設定される。
【００３８】
例えば、図８に示すように、シート単位設定画面の頁番号指定部５２に頁番号を入力せずに、シート番号指定部５１にシート番号を入力した状態で、印刷モードを設定することが可能である。このような場合、シート単位設定リスト画面では、図９に示すように、リスト表示部４３の頁番号欄には頁番号が表示されないが、更新ボタン４５を押すことにより、図５に示すように、設定されたシートにレイアウトされる全ての頁番号が表示される。
【００３９】
また、図１０に示すように、シート単位設定画面のシート番号指定部５１にシート番号を入力せず、頁番号指定部５２に頁番号を入力した状態で、印刷モードを設定することも可能である。このような場合、シート単位設定リスト画面では、図１１に示すように、リスト表示部４３のシート番号欄にはシート番号が表示されないが、更新ボタン４５を押すことにより、図５に示すように、設定された頁番号がレイアウトされるシート番号と、シートにレイアウトされる全ての頁番号が表示される。従って、１シートにレイアウトされる複数頁のうちの何れか１頁で印刷モードが設定されると、シート全体にその印刷モードが適用されることになる。
【００４０】
ＰＣ１で印刷条件が設定されると、設定内容のデータがプリンタ２に送信され、プリンタ２において、シート毎の頁のレイアウト（面付け）が決定される（ステップＳ２）。ステップＳ２では、まず、印刷条件解析部２１において、受信された印刷条件が解析され、頁レイアウト部２２において、出力結果が冊子となるように、頁のレイアウト（面付け）が決定される。
【００４１】
例えば、全体で８頁の原稿を小冊子印刷する場合、出力シートの１枚目の表面には、原稿の１頁目と８頁目が２ｉｎ１で印刷され、裏面には、２頁目と７頁目が２ｉｎ１で印刷され、２枚目の出力シートの表面には、原稿の３頁目と６頁目が２ｉｎ１で印刷され、裏面には、原稿の４頁目と５頁目が２ｉｎ１で印刷されるように、面付けが行われる。
【００４２】
シート毎の頁レイアウトが決定されると、印刷条件としてシート単位設定がされているか否かが判定される（ステップＳ３）。シート単位設定とは、図７のシート単位設定画面及び図５のシート単位設定リスト画面を用いて行われた設定である。
【００４３】
ステップＳ３において、シート単位設定がされていないと判定された場合（ステップＳ３；ＮＯ）、図４の全体設定画面において設定された印刷モードが全シート一律に設定され（ステップＳ４）、ステップＳ８に移行する。ステップＳ３において、シート単位設定が行われていると判定された場合（ステップＳ３；ＹＥＳ）、ステップＳ１で設定された印刷条件に従って、シート毎に印刷モードが設定される（ステップＳ５）。
【００４４】
シート毎に印刷モードが設定されると、同一シート内の複数頁で異なる印刷モードが設定されているか否かが判定される（ステップＳ６）。ステップＳ６において、同一シート内の複数頁で異なる印刷モードが設定されていると判定された場合（ステップＳ６；ＹＥＳ）、ＰＣ１の表示部１２に、図１２に示すような警告メッセージが表示され（ステップＳ７）、ステップＳ１に戻り、再度、印刷条件の設定処理が行われる。
【００４５】
ステップＳ６において、同一シート内の複数頁で異なる印刷モードが設定されていないと判定された場合（ステップＳ６；ＮＯ）、シート毎に印刷データ及び印刷モードがセットされ（ステップＳ８）、当該印刷データ及び印刷モードが画像形成部３０に出力され（ステップＳ９）、本印刷設定処理が終了する。
【００４６】
以上のように、本実施形態の印刷システム１００によれば、冊子印刷において、出力されるシート単位で印刷モードを設定することにより、異なる種類のシートを用いるような複雑な構成の冊子であっても、一度の印刷で容易に完成させることが可能になる。
【００４７】
なお、上記の実施形態においては、同一シート内の複数頁で異なる印刷モードが設定されているか否かの判断を、プリンタ２の印刷条件解析部２１において行っているが、これをＰＣ１側において行ってもよい。即ち、ステップＳ１の印刷条件の設定において、プリンタドライバが同一シート内の複数頁で異なる印刷モードが設定されたか否かを監視し、異なる印刷モードが設定された時点で、例えば、図１２に示すような警告メッセージを表示部１２に表示するようにしてもよい。
【図面の簡単な説明】
【００４８】
【図１】本発明の実施形態に係る印刷システムの構成を示す図である。
【図２】印刷システムを構成するＰＣ及びプリンタの主要部構成を示すブロック図である。
【図３】印刷システムにおいて実行される印刷設定処理を示すフローチャートである。
【図４】ＰＣの表示部に表示される全体設定画面を示す図である。
【図５】ＰＣの表示部に表示されるシート単位設定リスト画面を示す図である。
【図６】リスト名項目に表示されるリスト名を示す図である。
【図７】ＰＣの表示部に表示されるシート単位設定画面を示す図である。
【図８】シート番号の指定のみで印刷モードを設定する場合のシート単位設定画面を示す図である。
【図９】シート番号の指定のみで印刷モードを設定した場合のシート単位設定リスト画面を示す図である。
【図１０】頁番号の指定のみで印刷モードを設定する場合のシート単位設定画面を示す図である。
【図１１】頁番号の指定のみで印刷モードを設定した場合のシート単位設定リスト画面を示す図である。
【図１２】ＰＣの表示部に表示される警告メッセージを示す図である。
【符号の説明】
【００４９】
１  ＰＣ
２  プリンタ
１０  設定部
１１  入力部
１２  表示部
２０  印刷制御部
２１  印刷条件解析部
２２  頁レイアウト部
２３  印刷データ作成部
２４  データ出力部
３０  画像形成部
１００  印刷システム
【図１】
2007011461.tif 000003
【図２】
2007011461.tif 000004
【図３】
2007011461.tif 000005
【図４】
2007011461.tif 000006
【図５】
2007011461.tif 000007
【図６】
2007011461.tif 000008
【図７】
2007011461.tif 000009
【図８】
2007011461.tif 000010
【図９】
2007011461.tif 000011
【図１０】
2007011461.tif 000012
【図１１】
2007011461.tif 000013
【図１２】
2007011461.tif 000014